(57)【要約】【課題】第１のデバイスから第２のデバイスに共有される情報の選択的制御を提供するためのシステムおよび方法を提供する。【解決手段】システムは、第１のデバイスと第２のデバイスとの間の近距離通信を検出するための接続検出器と、セキュリティ設定を設定または取得するためのセキュリティ設定器と、第１のデバイスと第２のデバイスとの間の近距離通信が終了したかを検出するための切断検出器と、セキュリティ設定に基づいて、第１のデバイスと第２のデバイスとの間の近距離通信を介して共有される情報のデータ管理を実施するためのワイパと、を含む。【選択図】図２
2015213316.tif 000002
【特許請求の範囲】
【請求項１】
第１のデバイスから第２のデバイスに共有される情報の選択的制御を提供するためのシステムであって、
前記選択的制御の提供のための命令のプログラムを記憶するコンピュータ可読媒体を備えるデータ記憶部と、
前記命令のプログラムを実行するプロセッサと、
前記第１のデバイスと前記第２のデバイスとの間の近距離通信を検出するための接続検出器と、
セキュリティ設定を設定または取得するためのセキュリティ設定器と、
前記第１のデバイスと前記第２のデバイスとの間の前記近距離通信が終了したか否かを検出するための切断検出器と、
前記セキュリティ設定に基づいて、前記第１のデバイスと前記第２のデバイスとの間の前記近距離通信を介して共有される情報のデータ管理を実施するためのワイパと、
を備えることを特徴とするシステム。
【請求項２】
前記セキュリティ設定は、事前に設定されるものである、請求項１に記載のシステム。
【請求項３】
前記セキュリティ設定は、前記第１のデバイスまたは前記第２のデバイスを介して設定される、請求項１に記載のシステム。
【請求項４】
前記セキュリティ設定器は、ワイプまたはロックするデータの部分的選択を選択的に可能にするデータ設定器をさらに備える、請求項３に記載のシステム。
【請求項５】
前記ワイパは、全てのデータをワイプするように設定されている前記セキュリティ設定に基づいて、前記近距離通信を介して、前記第１のデバイスから前記第２のデバイスの間で共有される全てのデータを削除する、請求項１に記載のシステム。
【請求項６】
全てのデータをワイプするように設定されている前記セキュリティ設定に基づいて、前記ワイパは、前記近距離通信を介して、前記第１のデバイスと前記第２のデバイスの間で共有される全てのデータを削除する、請求項３に記載のシステム。
【請求項７】
前記ワイパは、データをロックするように設定されている前記セキュリティ設定に基づいて、前記データをロックし、前記システムは、適切に満たしている認証プロセスに応答して、その後の近距離通信セッションに関する前記データへのアクセスを可能にする、請求項１に記載のシステム。
【請求項８】
前記第１のデバイスは、車両のインフォテインメントシステムであり、前記第２のデバイスは、携帯デバイスである、請求項１に記載のシステム。
【請求項９】
前記切断検出器は、所定の時間間隔の経過を待って、前記検出された終了が依然として有効であるか否かを判定する、請求項１に記載のシステム。
【請求項１０】
第１のデバイスから第２のデバイスに共有される情報の選択的制御を提供するための方法であって、
前記第１のデバイスと前記第２のデバイスとの間の近距離通信を検出することと、
セキュリティ設定を取得することと、
前記第１のデバイスと前記第２のデバイスとの間の前記近距離通信が終了したか否かを検出することと、
前記セキュリティ設定に基づいて、前記第１のデバイスと前記第２のデバイスとの間の前記近距離通信を介して共有される情報のデータ管理を実施することと、を含み、
前記検出すること、前記取得すること、または前記実施することのうちの少なくとも１つは、プロセッサによって実施される、ことを特徴とする方法。
【請求項１１】
前記第１のデバイスおよび前記第２のデバイスは、車両に関連付けられている、請求項１０に記載の方法。
【請求項１２】
前記セキュリティ設定は、前記第１のデバイスまたは前記第２のデバイスを介して設定される、請求項１０に記載の方法。
【請求項１３】
前記セキュリティ設定を取得することは、ワイプまたはロックするデータの部分的選択を選択的に可能にすることをさらに含む、請求項１２に記載の方法。
【請求項１４】
全てのデータをワイプするように設定されている前記セキュリティ設定に基づいて、前記近距離通信を介して前記第１のデバイスと前記第２のデバイスの間で共有される全てのデータを削除する、請求項１０に記載の方法。
【請求項１５】
全てのデータをワイプするように設定されている前記セキュリティ設定に基づいて、前記近距離通信を介して前記第１のデバイスと前記第２のデバイスの間で共有される全てのデータを削除する、請求項１２に記載の方法。
【請求項１６】
データをロックするように設定されている前記セキュリティ設定に基づいて、前記データをロックし、適切に満たしている認証プロセスに応答して、その後の近距離通信セッションに関する前記データへのアクセスを可能にする、請求項１０に記載の方法。
【請求項１７】
前記第１のデバイスは、車両のインフォテインメントシステムであり、前記第２のデバイスは、携帯デバイスである、請求項１０に記載の方法。
【請求項１８】
所定の時間間隔の経過を待って、前記検出された終了が依然として有効であるか否かを判定することをさらに含む、請求項１０に記載の方法。
【発明の詳細な説明】
【背景技術】
【０００１】
カーオーディオシステム、マルチメディアシステム等の電子デバイスは、可搬式および携帯電子デバイスと連動するように構成されている。例えば、携帯デバイスは、主要な電子デバイスと連動し得、携帯デバイスは、近距離ネットワーク接続を利用することによって、情報を共有し、電子デバイスを制御し得る。
【０００２】
上述のもの等の相互作用を可能にすることによって、オペレータは、静的電子デバイスの動作および制御を、個人用携帯デバイスと統合し得る。したがって、静的電子デバイスの動作は、個々のユーザの優先度に対してより相互作用的かつ構成可能となる。
【０００３】
例えば、車両は、設置され、かつ近くの携帯デバイスと遠隔で接続するように構成される、インフォテインメントシステムを有し得る。近くの携帯デバイスは、スマートフォン、ラップトップ、装着可能な時計等の任意の種類の携帯デバイスであり得る。インフォテインメントシステムは、情報および娯楽を車両の運転手または乗客に提供することが可能な任意の電子システムであり得る。インフォテインメントシステムによって提供されるサービスは、グローバルポジションサテライト（ＧＰＳ）サービス、オーディオプレーヤー、ビデオプレーヤー、温度制御システム、または車両インフォテインメントシステムを介して提供される任意の種類の電子的に連動可能なインターフェースであるがこれらに限定されない。
【０００４】
車両の運転手は、インフォテインメントシステムに接近し得（例えば、車両に入り得）、接続オプションを連動させて、近くの携帯デバイスをインフォテインメントシステムと接続させ得る。接続オプションを連動させた後、インフォテインメントシステムは、種々の無線接続を通じて近くの携帯デバイスとハンドシェイクし得る。例えば、ハンドシェイクは、Ｂｌｕｅｔｏｏｔｈ（登録商標）、近距離無線通信、ローカライズされたローカルエリアネットワーク、ＢＴＬＥ等の種々の接続を介して起こり得る。その後、近くの携帯デバイスは、インフォテインメントシステムを制御するために、インフォテインメントシステムと情報を共有し得る。例えば、インフォテインメントシステムが、近くの携帯デバイスからのテキストメッセージの音声を表示し、供給することが可能な場合、インフォテインメントシステムは、テキストを受信し、したがって、テキストメッセージを表示または再生する。
【発明の概要】
【０００５】
第１のデバイスから第２のデバイスに共有される情報の選択的制御を提供するためのシステムおよび方法。システムは、第１のデバイスと第２のデバイスとの間の近距離通信を検出するための接続検出器と、セキュリティ設定を設定または取得するためのセキュリティ設定器と、第１のデバイスと第２のデバイスとの間の近距離通信が終了したかを検出するための切断検出器と、セキュリティ設定に基づいて、第１のデバイスと第２のデバイスとの間の近距離通信を介して共有される情報のデータ管理を実施するためのワイパと、を含む。
【図面の簡単な説明】
【０００６】
発明を実施するための形態は、同様の数字が同様の項目を指す以下の図面を参照する。
【０００７】
【図１】例示的なコンピュータを説明するブロック図である。
【図２】第１の電子デバイスから第２の電子デバイスに共有される情報の選択的制御を提供するためのシステムの例である。
【図３】第１の電子デバイスから第２の電子デバイスに共有される情報の選択的制御を提供するための方法の例である。
【図４（ａ）】図２および３に記載されるシステムまたは方法を実装するためのグラフィカルユーザインプリメンテーション（ＧＵＩ）の例示的な実装例を説明する。
【図４（ｂ）】図２および３に記載されるシステムまたは方法を実装するためのグラフィカルユーザインプリメンテーション（ＧＵＩ）の例示的な実装例を説明する。
【図５】システムまたは方法に従い、データの選択的ワイプを設定するためのＧＵＩを説明する。
【図６（ａ）】図２のシステムが実装されていない状況の例を説明する。
【図６（ｂ）】図２のシステムが実装されていない状況の例を説明する。
【図７（ａ）】図２のシステムが実装されている状況の例を説明する。
【図７（ｂ）】図２のシステムが実装されている状況の例を説明する。
【発明を実施するための形態】
【０００８】
本発明は、本発明の例示的な実施形態が示される添付の図面を参照して、より十分に以下に記載される。しかしながら、本発明は、多くの異なる形態で具体化され得、本明細書に記述される実施形態に限定されるものと解釈されるべきではない。むしろ、これらの例示的な実施形態は、本開示が詳細であり、当業者に本発明の範囲を十分に伝えられるように提供される。本開示の目的のために、「それぞれのうちの少なくとも１つ」は、列挙した要素のうちの複数の組み合わせを含む、それぞれの言語の後に列挙した要素の任意の組み合わせを意味するよう解釈される。例えば、「Ｘ、Ｙ、およびＺのうちの少なくとも１つ」は、Ｘのみ、Ｙのみ、Ｚのみ、または、Ｘ、Ｙ、およびＺ（例えば、ＸＹＺ、ＸＺ、ＹＺ、Ｘ）の２つ以上の項目の任意の組み合わせを意味するよう解釈される。図面および発明を実施するための形態を通じて、別途記載されない限り、図面の同一の参照番号は、同一の要素、特徴、および構造を指すよう理解される。これらの要素の相対的サイズおよび記載は、明確さ、説明、および利便性のために誇張され得る。
【０００９】
種々の電子システムは、近距離通信技術を介して互いに連動し得る。例えば、２つ以上の電子デバイスは、近距離通信技術を介して互いにハンドシェイクし得（またはペアリングし得）、その他のデバイスと情報を共有し、制御し得る。いくつかの例において、電子システムのうちの一方は、静的に提供され得、一方で、他方の電子システムは、第１の電子システムに関連付けられるオペレータによって典型的に保有される、携帯デバイスであり得る。
【００１０】
背景技術セクションで説明したように、そのような一実装例は、車両に関連付けられるインフォテインメントシステムである。インフォテインメントシステムは、車両の運転席（または他のエリア）に設置され得る。車両の運転手または乗客が、車両に接近すると、運転手または乗客は、接続オプションを開始して、インフォテインメントシステムを携帯デバイスとハンドシェイクさせるか、またはペアリングし得る。
【００１１】
種々の動作を実施するために、携帯デバイスおよびインフォテインメントシステムは、情報を共有し得る。例えば、インフォテインメントシステムは、携帯デバイスによって行われる種々の電話およびテキストメッセージに関連付けられる情報を表示し得る。したがって、携帯デバイスは、運転手または乗客に関連付けられる個人情報をインフォテインメントシステムに共有し得る。
【００１２】
運転手または乗客が、インフォテインメントシステムとの相互作用を完了した後、例えば、運転手または乗客が、車両を離れた後、インフォテインメントシステムと携帯デバイスとの間の接続は終了し得る。しかしながら、携帯デバイスとインフォテインメントシステムとの間で共有される情報は、依然として、インフォテインメントシステムで維持され得る。
【００１３】
これは、多くの携帯デバイスユーザに対して望ましくない状況を提示する。携帯デバイスユーザは、ユーザの情報をインフォテインメントシステムに記憶させないことを所望し得る。特に、携帯デバイスユーザは、他のインフォテインメントユーザと個人情報または重要な情報を共有させないことを所望し得る。例えば、車両という状況において、車両は、複数の運転手によって用いられ得る。この状況において、第２の運転手は、前の携帯デバイスユーザの相互作用を介して、インフォテインメントシステムと共有される個人情報に精通するようになり得る。
【００１４】
第１のデバイスから第２のデバイスに共有される情報の選択的制御を提供するための方法およびシステムが、本明細書に開示される。選択的制御を提供することによって、携帯デバイスユーザは、どの情報が第２のデバイスと共有され、どの情報がワイプアウトされるか、または第２のデバイスと連動し得る他のユーザに共有されないかを制御する堅牢な能力が与えられる。
【００１５】
図１は、例示的なコンピュータ１００を説明するブロック図である。コンピュータ１００は、チップセット１０４に連結される少なくとも１つのプロセッサ１０２を含む。チップセット１０４は、メモリコントローラハブ１２０および入力／出力（Ｉ／Ｏ）コントローラハブ１２２を含む。メモリ１０６およびグラフィックスアダプタ１１２は、メモリコントローラハブ１２０に連結され、ディスプレイ１１８は、グラフィックスアダプタ１１２に連結される。記憶デバイス１０８、キーボード１１０、ポインティングデバイス１１４、およびネットワークアダプタ１１６は、Ｉ／Ｏコントローラハブ１２２に連結される。コンピュータ１００の他の実施形態は、異なるアーキテクチャを有し得る。
【００１６】
記憶デバイス１０８は、ハードドライブ、コンパクトディスクリードオンリーメモリ（ＣＤ−ＲＯＭ）、ＤＶＤ、またはソリッドステートメモリデバイス等の非一時的コンピュータ可読記憶媒体である。メモリ１０６は、プロセッサ１０２によって用いられる命令およびデータを保持する。ポインティングデバイス１１４は、マウス、トラックボール、または他の種類のポインティングデバイスであり、キーボード１１０と組み合わせて使われて、コンピュータ１００にデータを入力する。ポインティングデバイス１１４はまた、ゲーミングシステムコントローラであり得るか、またはゲーミングシステムを制御するために用いられる任意の種類のデバイスであり得る。例えば、ポインティングデバイス１１４は、バイオメトリック走査を利用して、特定のユーザを検出するビデオまたは画像捕捉デバイスに接続され得る。特定のユーザは、挙動または身振りを利用して、コンピュータ１００の種々の態様を制御するようポイントデバイス１１４に指令し得る。
【００１７】
グラフィックスアダプタ１１２は、画像および他の情報をディスプレイ１１８に表示する。ネットワークアダプタ１１６は、コンピュータシステム１００を１つ以上のコンピュータネットワークに連結する。
【００１８】
コンピュータ１００は、本明細書に記載される機能性を提供するためのコンピュータプログラムモジュールを実行するように適合される。本明細書で用いられる場合、用語「モジュール」は、特定の機能性を提供するために用いられるコンピュータプログラム論理を指す。したがって、モジュールは、ハードウェア、ファームウェア、および／またはソフトウェアに実装することができる。一実施形態において、プログラムモジュールは、記憶デバイス１０８に記憶され、メモリ１０６にロードされ、プロセッサ１０２によって実行される。
【００１９】
本明細書に開示されるエンティティおよびプロセスによって用いられるコンピュータの種類は、実施形態およびエンティティによって必要とされる処理能力によって異なることができる。コンピュータ１００は、携帯デバイス、タブレット、スマートフォン、または上記に挙げた要素を有する任意の種類のコンピューティング要素であり得る。例えば、ハードディスク、ソリッドステートメモリ、または記憶デバイス等のデータ記憶デバイスは、連携して、本明細書に記載される機能性を提供する複数のブレードサーバを備える分散データベースシステムに記憶され得る。コンピュータは、キーボード１１０、グラフィックスアダプタ１１２、およびディスプレイ１１８等の上述のコンポーネントのうちの一部を欠くことができる。
【００２０】
コンピュータ１００は、本明細書に開示されるコンテンツ共有サービスのためのサーバ（図示せず）として機能し得る。コンピュータ１００は、他のコンピュータ１００デバイスとクラスタ形成されて、サーバを作り得る。
【００２１】
図２は、第１の電子デバイス２６０から第２の電子デバイス２７０に共有される情報の選択的制御を提供するためのシステム２００の例である。システム２００は、コンピュータ１００等のデバイスに実装され得る。図２に示されるように、電子デバイス２６０および電子デバイス２７０が示される。電子デバイス２６０および電子デバイス２７０は、背景技術セクションで列挙されたもの等、近距離ネットワーク２５０を介して接続することが可能な任意の種類の電子デバイスであり得る。システム２００は、電子デバイス２６０もしくは電子デバイス２７０のいずれか、または図示されていない第三者デバイスに実装され得る。第三者デバイスは、２つ以上のデバイス間の近距離通信に浸透する任意の種類のルータであり得る。
【００２２】
例えば、車両という状況において、電子デバイス２６０は、インフォテインメントシステムであり得、一方で、電子デバイス２７０は、携帯デバイスであり得る。ペアリング（すなわち、２つのデバイス間の接続）は、電子デバイス２６０または電子デバイス２７０のいずれかから開始され得る。したがって、指令は、ネットワーク２５０を介して開始されて、ペアリングを要求する。
【００２３】
接続検出器２１０は、電子デバイス２６０と電子デバイス２６０との間の接続が確立されたことを検出する。例えば、電子デバイス２７０に関連付けられるユーザは、電子デバイス２６０とのＢｌｕｅｔｏｏｔｈ（登録商標）ペアリングを引き起こし得る。例えば、電子デバイス２６０は、車両のインフォテインメントシステムであり得、一方で、電子デバイス２７０は、車両の乗客または運転手に関連付けられる携帯デバイスであり得る。車両の乗客または運転手は、電子デバイス２６０に関連付けられるユーザインターフェースを用いて、あるデータおよびアプリケーションを制御するために、電子デバイス２７０を電子デバイス２６０とインターフェースさせることを望み得る。例えば、乗客または運転手は、電子デバイス２６０に関連付けられる車両と、音楽を共有すること、携帯メッセージングを実施すること、グローバルポジショニングサテライトとインターフェースさせること等を要求し得る。
【００２４】
セキュリティ設定器２２０は、電子デバイス２７０の電子デバイス２６０との情報の共有に関連付けられる設定を取得する。設定は、永続記憶部２０５から取得され得、したがって、電子デバイス２７０に関連付けられる既定のユーザまたは特定のユーザに以前に既知であるか、または以前に構成され得る。代替的に、ＧＵＩ選択メニューは、電子デバイス２６０または電子デバイス２７０のいずれか（または両方）に通信され得、所望のレベルのセキュリティをユーザに促す。例示的なＧＵＩは、図３（ａ）および３（ｂ）に示される。
【００２５】
例えば、種々の設定が選択され得るか、または取得され得る。ユーザは、何も行わないことを選択し得る。この場合、共有のこれまでの状態が維持される。代替的な例において、ユーザは、データをワイプするオプションを選択し得る。この場合、以下により詳細に説明されるが、データは、電子デバイス２７０が電子デバイス２６０と切断したときにワイプされる。別の代替的な例において、データは、ロックされ得る。この場合、電子デバイス２７０のユーザは、電子デバイス２６０と電子デバイス２７０とのペアリングに関連付けられるパスワードを事前設定し得、したがって、認証プロセスが正常に実施されるまで、電子デバイス２６０に共有されるデータをロックし得る。
【００２６】
セキュリティ設定器２２０は、データセレクタ２２１を含み得る。データセレクタ２２１は、ユーザに提示されるＧＵＩを介して、ユーザがワイプするデータの種類および維持しないデータの種類を選択することを可能にする、選択可能な画面を提示し得る。例えば、ユーザは、テキストメッセージまたは音声メール等のある種類のデータを記憶させないことを所望し得、一方で、音楽またはビデオ等の他の種類のデータを記憶させることを所望し得る。この場合、データセレクタ２２１は、ＧＵＩまたは所定の設定と相互作用して、ワイプまたは保護するデータの種類を設定し得る。
【００２７】
切断検出器２３０は、電子デバイス２６０および電子デバイス２７０が近距離通信ネットワーク２５０を介して互いに接続されていないことを検出する。切断検出器２３０は、電子デバイス２７０のオペレータが切断オプションを手動で開始したときに引き起こされ得る。代替的に、電子デバイス２７０のオペレータは、電子デバイス２７０および電子デバイス２６０が互いに通信し得る物理的エリア２７１を離れ得る。
【００２８】
切断検出器２３０からの指標に基づいて、ワイパ２４０は、セキュリティ設定器２２０によって行われるか、または取得される設定に基づいて情報をセキュリティ化する動作を、電子デバイス２６０を介して実施する。
【００２９】
したがって、ワイパ２４０は、何も行い得ないか、全ての個人データ（または事前構成された種類のデータ）を電子デバイス２６０からワイプし得るか、または永続記憶部２０５に情報をロックし得る。したがって、電子デバイス２７０が、近距離通信ネットワーク２５０を介して電子デバイス２６０と接続していない場合、ワイパ２４０は、セキュリティ設定器２２０によって構成された設定に応じてアクションを実施する。
【００３０】
図３は、第１の電子デバイスから第２の電子デバイスに共有される情報の選択的制御を提供するための例示的な方法３００を説明する。方法３００は、システム２００等のデバイスに実装され得る。
【００３１】
動作３１０において、近距離通信の検出が行われる。近距離通信は、上記に列挙されたまたは当業者には周知の近距離通信技術のうちのいずれかであり得る。例えば、車両という状況において、乗客が車両に入り、Ｂｌｕｅｔｏｏｔｈ（登録商標）接続を介して携帯デバイスをインフォテインメントシステムとインターフェースさせる場合、Ｂｌｕｅｔｏｏｔｈ（登録商標）を介した接続が検出され得る。
【００３２】
動作３２０において、接続に関連付けられるセキュリティ設定が取得され得る。セキュリティ設定は、二次デバイス、例えば、インフォテインメントシステムに記憶される情報の量を示す。
【００３３】
セキュリティ設定は、事前構成された設定を介して取得され得るか（動作３２１）、または、代替的に、もしくは加えて、共有されている情報に関連付けられるオペレータは、使用可能なオプションとともにＧＵＩが提示され得る（動作３２２）。ＧＵＩは、第１または第２のデバイスのいずれかに提示され得る。使用可能なオプションは、全てのデータをワイプすることか、一部のデータをワイプすることか（データのカテゴリがオペレータを介して選択される）、データをロックすることか、または何のアクションも実施しないことに及び得る。
【００３４】
動作３３０において、動作３１０で検出された近距離通信が終了したか判定される。終了していない場合、動作３３０は、所定の時間間隔で反復して実施され得るか、またはアクションによって引き起こされ得る（例えば、デバイスをオフにする、車両を出る、デバイスが互いの範囲内でない等）。終了した場合、方法３００は、動作３４０へ進む。
【００３５】
さらに、動作３３０において、さらに、タイムアウトが実施され得る。したがって、切断が常時であるときを判定する第２の動作が、方法３００に追加され得る。これは、切断が常時切断であり、第１のデバイスおよび第２のデバイスが、単に一時的な時間切断されているのではないことを確実にする。例えば、携帯デバイスが、Ｂｌｕｅｔｏｏｔｈ（登録商標）でインフォテインメントシステムに接続されている状況において、携帯デバイス保持者は、車両を出て、ガソリン代を支払い得るか、または任意の他の短期的なアクションを実施し得る。この場合、後述される動作３４０は、必須ではない。
【００３６】
動作３４０において、データ管理が実施される。例えば、種々の種類のデータ操作が起こり得る：近距離通信技術を介して共有される全てのデータがワイプされ得る（３４１）、近距離通信技術を介して共有される一部のデータがワイプされ得る（３４２）、データが、第２のデバイス、すなわち、情報が共有されるデバイスを介してロックされ得る（３４３）、または何も起こり得ない（３４４）。３４４を通じた動作３４１は、動作３２２における選択または動作３２１において取得される所定の設定に基づいて実施され得る。
【００３７】
一部のデータがワイプされる場合（３４２）、あるアプリケーションまたはカテゴリに関連付けられるデータは、所定であり得るか、またはＧＵＩを介して選択され得る。そのようなＧＵＩの例は、図５に示される。
【００３８】
データがロックされる場合（３４３）、前のセッションにおいて近距離通信を介して共有されたデータにアクセスするために、パスワードまたは認証技術が、その後の接続においてユーザに促され得る。
【００３９】
図４（ａ）および（ｂ）は、システム２００または方法３００を実装するために利用されるＧＵＩ４００の例示的な実装例を説明する。図４（ａ）において、ＧＵＩ４００は、インフォテインメントシステムの一部として実装される。図４（ｂ）において、ＧＵＩ４００は、携帯デバイスの一部として実装される。
【００４０】
両方の場合において、ＧＵＩ４００は、ワイプする４１０、ロックする４２０、または何も実施しない４３０のためのアイコンまたは選択可能なオプションを提示する。ＧＵＩ４００は、２つのデバイス間で近距離通信が開始された後、開始されている時、または開始される前に提示され得る。ワイプ４１０は、図５に示されるＧＵＩ５００を促し得る。
【００４１】
図５は、システム２００または方法３００に従い、データの選択的ワイプを設定するためのＧＵＩ５００を説明する。図５に示されるように、種々のアプリケーションが提示される（エリア５１０）。ユーザは、提示されたアプリケーションのうちの何も選択し得ないか、１つ、一部、または全てを選択し得る。例えば、ユーザがテキストを選択した場合、方法３００が動作３３０を実施したときに、第１のデバイス２６０からテキストがワイプ／ロックされる。この方法で、ユーザは、ワイプすべき重要な情報とユーザが見なす情報を事前選択することができる。
【００４２】
実装者の優先度に応じて、ＧＵＩ４００は、近距離通信技術を介して接続を行ういずれかのデバイスを介して提示され得る。したがって、セキュリティ設定は、インフォテインメントシステム、携帯デバイス、またはそれらの両方で設定され得る。代替的に、セキュリティ優先度の設定は、省略され得、本明細書に開示されるシステムおよび方法は、所定の、または事前設定された設定を利用し得る。
【００４３】
図６（ａ）および６（ｂ）は、システム２００または方法３００が実装されていない状況の例を説明する。図７（ａ）および７（ｂ）は、システム２００または方法３００が実装されている状況の例を説明する。
【００４４】
図６（ａ）および７（ａ）を参照すると、乗客６００は、近距離通信を介して第１の電子デバイス２６０を第２の電子デバイス２７０に接続する。示される例において、第１の電子デバイス２６０は、携帯デバイスであり、第２の電子デバイス２７０は、インフォテインメントシステムである。図６（ａ）および７（ａ）に示されるように、第２の電子デバイス２７０のコンテンツ（すなわち、受信テキストメッセージ）が通信され、第１の電子デバイス２６０に表示される。
【００４５】
図６（ｂ）および７（ｂ）を参照すると、乗客６００は、車両を離れ、電子デバイス２７０を乗客と一緒に持って行く。システム２００を利用していない図６（ｂ）に示されるように、図６（ａ）に示されるテキストメッセージは、依然として、電子デバイス２６０の一部として残る。図６（ｂ）において、テキストメッセージが示されているが、しかしながら、それは、電子デバイス２６０に関連付けられるメモリまたは記憶デバイスに記憶され得、後で呼び戻され得る。
【００４６】
ワイプまたはロックの設定が選択されたと仮定する図７（ｂ）において、テキストメッセージは、第１の電子デバイス２６０から削除される。この方法において、乗客６００は、乗客のデバイス（電子デバイス２７０）に関連付けられるデータが適切に維持され、電子デバイス２６０のその後のオペレータに共有されないことを適切に確実にし得る。図７（ｂ）に示されるように、テキストは、電子デバイス２６０を介して表示されなくなる。
【００４７】
本発明の精神または範囲から逸脱することなく、本発明において種々の修正および変形がなされ得ることが当業者には明らかである。したがって、本発明は、本発明の修正および変形が、添付の特許請求の範囲およびそれらの均等物の範囲内に入るという条件で、それらを包含するよう意図される。
【図１】
2015213316.tif 000003
【図２】
2015213316.tif 000004
【図３】
2015213316.tif 000005
【図４（ａ）】
2015213316.tif 000006
【図４（ｂ）】
2015213316.tif 000007
【図５】
2015213316.tif 000008
【図６（ａ）】
2015213316.tif 000009
【図６（ｂ）】
2015213316.tif 000010
【図７（ａ）】
2015213316.tif 000011
【図７（ｂ）】
2015213316.tif 000012